(57)【要約】【課題】  複数の検眼装置を用いて容易に検眼を実施することができる検眼用テーブル及び検眼システムを提供する。【解決手段】  検眼装置を載置する検眼用テーブルであって、複数の検眼装置を載置するためのスペースを有する第１テーブルと、第１テーブルの下面側に設けられる第２テーブルと、第１テーブルと第２テーブルとの間に設けられるトレイであって、第１テーブルの下面側且つ第２テーブルの上面側に設けられるトレイと、第１テーブルとトレイとを連結するための第１移動手段であって、第１テーブルをトレイに対して水平方向に移動可能とする第１移動手段と、第２テーブルとトレイとを連結するための第２移動手段であって、第１移動手段とは異なる移動手段であり、トレイを第２テーブルに対して水平方向に移動可能とする第２移動手段と、を備える。【選択図】      図１
2020018711.tif 000002
【特許請求の範囲】
【請求項１】
検眼装置を載置する検眼用テーブルであって、
複数の検眼装置を載置するためのスペースを有する第１テーブルと、
前記第１テーブルの下面側に設けられる第２テーブルと、
前記第１テーブルと前記第２テーブルとの間に設けられるトレイであって、前記第１テーブルの下面側且つ前記第２テーブルの上面側に設けられるトレイと、
前記第１テーブルと、前記トレイと、を連結するための第１移動手段であって、前記第１テーブルを前記トレイに対して水平方向に移動可能とする第１移動手段と、
前記第２テーブルと、前記トレイと、を連結するための第２移動手段であって、前記第１移動手段とは異なる移動手段であり、前記トレイを前記第２テーブルに対して水平方向に移動可能とする第２移動手段と、
を備え、
前記第１テーブルが前記第２テーブル上に位置するように、前記第１テーブルと前記トレイとの少なくともいずれかを水平方向に移動させることで、被検者に対して複数の前記検眼装置を使用可能とし、
前記第１テーブルが前記第２テーブル上から退避するように、前記第１テーブルと前記トレイとの少なくともいずれかを水平方向に移動させることで、前記第２テーブルを使用可能とすることを特徴とする検眼用テーブル。
【請求項２】
請求項１に記載の検眼用テーブルにおいて、
前記第１テーブルは、複数の前記検眼装置を固定する固定部を有し、
前記固定部が前記第２テーブル上に配置されるように、前記第１テーブルと前記トレイとの少なくともいずれかを水平方向に移動させることで、被検者に対して複数の前記検眼装置を使用可能とし、
前記固定部の少なくとも一部が前記第２テーブル上から突出するように、前記第１テーブルと前記トレイとの少なくともいずれかを水平方向に移動させることで、前記第２テーブルを使用可能とすることを特徴とする検眼用テーブル。
【請求項３】
請求項２に記載の検眼用テーブルにおいて、
複数の前記検眼装置は、第１検眼装置と、第２検眼装置と、を含み、
前記固定部は、前記第１検眼装置を固定するための第１固定部と、前記第２検眼装置を固定するための第２固定部と、を有し、
前記第２テーブル上から前記第１テーブルの突出が開始される側の前記第１テーブルの側面に対して、前記第１固定部の位置が前記第２固定部の位置よりも長手方向に遠い位置に配置され、
前記第１固定部と、前記第２固定部の少なくとも一部と、が前記第２テーブル上に配置されるように、前記第１テーブルと前記トレイとの少なくともいずれかを水平方向に移動させることで、被検者に対して前記第１検眼装置を使用可能とし、
前記第１固定部の少なくとも一部と、前記第２固定部と、が前記第２テーブル上に配置されるように、前記第１テーブルと前記トレイとの少なくともいずれかを水平方向に移動させることで、被検者に対して前記第２検眼装置を使用可能とし、
前記第１固定部の少なくとも一部が前記第２テーブル上に配置され、前記第２固定部の少なくとも一部が前記第２テーブル上から突出するように、前記第１テーブルと前記トレイとの少なくともいずれかを水平方向に移動させることで、前記第２テーブルを使用可能とすることを特徴とする検眼用テーブル。
【請求項４】
請求項１〜３のいずれか１項に記載の検眼用テーブルにおいて、
前記第２テーブルにおいて前記第１テーブルが突出する側面側に設けられた第３テーブルを備え、
前記第２テーブルを使用可能な状態において、前記第３テーブルは、前記第１テーブルを支持することを特徴とする検眼用テーブル。
【請求項５】
請求項４の検眼用テーブルにおいて、
前記第３テーブルの上面側に設けられる第３移動手段であって、前記第３テーブルに対して、前記第１テーブルを水平方向に移動可能に支持する第３移動手段を備えることを特徴とする検眼用テーブル。
【請求項６】
被検者に対して複数の検眼装置を用いて検眼を行う検眼システムであって、
複数の検眼装置と、
複数の前記検眼装置の内、少なくとも第１検眼装置を載置するための第１テーブルと、
複数の前記検眼装置の内、少なくとも第２検眼装置を載置するための第２テーブルと、
前記第１テーブル及び前記第２テーブルの下面側に設けられる第３テーブルと、
前記第１テーブル及び前記第２テーブルを、前記第３テーブルに対して水平方向に移動可能とする移動手段と、
を備え、
前記第１テーブルが前記第３テーブル上の位置であって、前記被検者の前に水平移動されることによって、前記被検者に対して少なくとも前記第１検眼装置を使用可能とし、
前記第２テーブルが前記第３テーブル上の位置であって、前記被検者の前に水平移動されることによって、前記被検者に対して前記第２テーブルに載置された前記第２検眼装置を使用可能とすることを特徴とする検眼システム。
【請求項７】
請求項６の検眼システムにおいて、
前記第１テーブルと、前記第２テーブルと、は、一体的に形成されており、複数の前記検眼装置を載置するためのスペースを有するテーブルであって、
前記テーブルが前記第３テーブル上の位置であって、前記第１検眼装置が前記被検者の前に位置するように、前記テーブルを水平方向に移動させることで、前記被検者に対して前記第１検眼装置を使用可能とし、
前記テーブルが前記第３テーブル上の位置であって、前記第１検眼装置が前記被検者の前に位置するように、前記テーブルを水平方向に移動させることで、前記被検者に対して前記第２検眼装置を使用可能とすることを特徴とする検眼システム。
【発明の詳細な説明】
【技術分野】
【０００１】
本開示は、検眼装置を載置する検眼用テーブル、及び、検眼装置を用いて検眼を行う検眼システムに関する。
【背景技術】
【０００２】
検眼装置を載置した載置台をテーブル面上で移動させ、検眼装置を被検者の眼前に配置することで、検眼を実施することができる検眼用テーブルが知られている（例えば、特許文献１参照）。
【先行技術文献】
【特許文献】
【０００３】
【特許文献１】特開平７−１４３９６１号公報
【発明の概要】
【発明が解決しようとする課題】
【０００４】
ところで、検眼時には、被検眼の屈折力を他覚的に測定するためのオートレフラクトメータ、被検眼を観察または撮影するためのスリットランプ、等といった複数の検眼装置を用いることがある。従来の検眼用テーブルは、１つの検眼装置を載置できる載置台を備えた構成であり、別の検眼装置を用いるときには被検者を移動させなければならず、検者にとっても被検者にとっても手間であった。
【０００５】
本開示は、上記従来技術に鑑み、複数の検眼装置を用いて容易に検眼を実施することができる検眼用テーブル及び検眼システムを提供することを技術課題とする。
【課題を解決するための手段】
【０００６】
上記課題を解決するため、本開示は以下の構成を備えることを特徴とする。
（１）  本開示の第１態様に係る検眼用テーブルは、検眼装置を載置する検眼用テーブルであって、複数の検眼装置を載置するためのスペースを有する第１テーブルと、前記第１テーブルの下面側に設けられる第２テーブルと、前記第１テーブルと前記第２テーブルとの間に設けられるトレイであって、前記第１テーブルの下面側且つ前記第２テーブルの上面側に設けられるトレイと、前記第１テーブルと、前記トレイと、を連結するための第１移動手段であって、前記第１テーブルを前記トレイに対して水平方向に移動可能とする第１移動手段と、前記第２テーブルと、前記トレイと、を連結するための第２移動手段であって、前記第１移動手段とは異なる移動手段であり、前記トレイを前記第２テーブルに対して水平方向に移動可能とする第２移動手段と、を備え、前記第１テーブルが前記第２テーブル上に位置するように、前記第１テーブルと前記トレイとの少なくともいずれかを水平方向に移動させることで、被検者に対して複数の前記検眼装置を使用可能とし、前記第１テーブルが前記第２テーブル上から退避するように、前記第１テーブルと前記トレイとの少なくともいずれかを水平方向に移動させることで、前記第２テーブルを使用可能とすることを特徴とする。
（２）本開示の第２態様に係る検眼システムは、被検者に対して複数の検眼装置を用いて検眼を行う検眼システムであって、複数の検眼装置と、複数の前記検眼装置の内、少なくとも第１検眼装置を載置するための第１テーブルと、複数の前記検眼装置の内、少なくとも第２検眼装置を載置するための第２テーブルと、前記第１テーブル及び前記第２テーブルの下面側に設けられる第３テーブルと、前記第１テーブルと前記第２テーブルとで、少なくとも一部が兼用して用いられる移動手段であって、前記第１テーブル及び前記第２テーブルを、前記第３テーブルに対して水平方向に移動可能とする移動手段と、を備え、前記第１テーブルが前記第３テーブル上の位置であって、前記被検者の前に水平移動されることによって、前記被検者に対して少なくとも前記第１検眼装置を使用可能とし、前記第２テーブルが前記第３テーブル上の位置であって、前記被検者の前に水平移動されることによって、前記被検者に対して前記第２テーブルに載置された前記第２検眼装置を使用可能とすることを特徴とする。
【図面の簡単な説明】
【０００７】
【図１】検眼用テーブルの外観略図である。
【図２】第１移動手段と第２移動手段の概略図である。
【図３】第３移動手段の概略図である。
【図４】昇降ユニットの概略図である。
【図５】退避状態と検眼状態を説明する図である。
【発明を実施するための形態】
【０００８】
＜概要＞
本開示の実施形態に係る検眼用テーブルの概要について説明する。なお、以下の＜＞にて分類された項目は、独立または関連して利用されうる。
【０００９】
＜検眼用テーブル＞
本実施形態における検眼用テーブル（例えば、検眼用テーブル１）は、検眼装置を載置することができる検眼用テーブルである。例えば、検眼用テーブルは、第１テーブルを備える。また、例えば、検眼用テーブルは、第２テーブルを備える。また、例えば、検眼用テーブルは、トレイを備える。また、例えば、検眼用テーブルは、第１移動手段を備える。また、例えば、検眼用テーブルは、第２移動手段を備える。
【００１０】
例えば、第１テーブル（例えば、第１テーブル１１）は、複数の検眼装置を載置するためのスペースを有する。複数の検眼装置は、第１検眼装置と第２検眼装置を含む。もちろん、複数の検眼装置は、第３検眼装置、第４検眼装置、等を含んでもよい。複数の検眼装置を載置するためのスペースは、第１検眼装置、第２検眼装置、第３検眼装置、第４検眼装置、等の複数の検眼装置を載置するためのスペースであってもよい。このような検眼装置としては、被検眼の屈折力を他覚的に測定するためのオートレフラクトメータ、被検眼を観察または撮影するためのスリットランプ、被検眼の屈折力を自覚的に測定するためのレフラクタと視標呈示部を有する自覚式検眼装置、等の少なくともいずれかが載置されてもよい。例えば、本実施例では、第１テーブルが有するスペースに、第１検眼装置と第２検眼装置が載置される場合を例に挙げる。例えば、第１テーブルに載置された検眼装置は、第１テーブルが第２テーブル上に位置するように、第１テーブルとトレイとの少なくともいずれかを水平方向に移動させることで使用可能となる。
【００１１】
例えば、第１テーブルは、複数の検眼装置を固定する固定部を有していてもよい。固定部は、複数の検眼装置を１つの固定部で固定するための固定部であってもよい。また、固定部は、複数の検眼装置をそれぞれの固定部で固定するための固定部であってもよい。本実施例では、第１テーブルに第１検眼装置と第２検眼装置が載置されるため、固定部は、第１検眼装置を固定するための第１固定部（例えば、第１固定部１５ａ）と、第２検眼装置を固定するための第２固定部（例えば、第２固定部１５ｂ）と、を有していてもよい。例えば、第１固定部の位置は、第２テーブル上から第１テーブルの突出が開始される側の第１テーブルの側面に対して、第２固定部の位置よりも長手方向に遠い位置に配置されてもよい。もちろん、第１固定部の位置は、第２テーブル上から第１テーブルの突出が開始される側の第１テーブルの側面に対して、第２固定部の位置よりも長手方向に近い位置に配置されてもよい。
【００１２】
例えば、第２テーブル（例えば、第２テーブル１２）は、第１テーブルの下面側に設けられる。例えば、第２テーブルは、第１テーブルが第２テーブル上から退避するように、第１テーブルとトレイとの少なくともいずれかを水平方向に移動させることで使用可能となる。例えば、第２テーブルは、検眼用テーブルの基部であって、天板と脚部を備えたテーブルとして用いられてもよい。なお、本実施例において、第２テーブルには昇降ユニット（例えば、昇降ユニット５０）が連結されてもよい。この場合、第２テーブルは、昇降ユニットによって上下方向に移動される。
【００１３】
例えば、トレイ（例えば、トレイ２０）は、第１テーブルと第２テーブルとの間であって、第１テーブルの下面側かつ第２テーブルの上面側に設けられる。例えば、本実施例におけるトレイには、車輪（例えば、車輪２３）が取り付けられてもよい。例えば、本実施例におけるトレイは、第１移動部材を介して、第１テーブルに連結される。また、例えば、本実施例におけるトレイは、第２移動部材を介して、第２テーブルに連結される。
【００１４】
例えば、第１移動手段（例えば、第１移動手段３０）は、第１テーブルと、トレイと、を連結するための第１移動手段であって、第１テーブルをトレイに対して水平方向に移動可能とする。例えば、第１移動手段は、ガイドレール（例えば、ガイドレール３１）と、ガイドレールに嵌合する嵌合部（例えば、嵌合部３２）と、を備えたスライド機構により構成されてもよい。第１移動手段は、第１テーブルに直接連結してもよいし、第１テーブルに支持部材（例えば、レール固定板３３）を介して連結してもよい。また、第１移動手段は、トレイに直接連結してもよいし、トレイに支持部材（例えば、嵌合部固定板３４）を介して連結してもよい。例えば、このような第１移動手段によって、第１テーブルをトレイに対して水平方向に移動させ、第２テーブル上における第１テーブルの配置を変更することができる。
【００１５】
例えば、第２移動手段（例えば、第２移動手段４０）は、第１移動手段とは異なる移動手段である。例えば、第２移動手段は、第２テーブルと、トレイと、を連結するための第２移動手段であって、トレイを第２テーブルに対して水平方向に移動可能とする。例えば、第２移動手段は、レール板（例えば、レール板４１）と、レール板に沿って転動するベアリング（例えば、ベアリング４３）と、を備えたスライド機構により構成されてもよい。第２移動手段は、トレイに直接連結してもよいし、トレイに支持部材（例えば、支持部２２）を介して連結してもよい。また、第２移動手段は、第２テーブルに直接連結してもよいし、第２テーブルに支持部材を介して連結してもよい。例えば、このような第２移動手段によって、トレイを第２テーブルに対して水平方向に移動させ、第２テーブル上におけるトレイの配置を変更することができる。
【００１６】
なお、本実施例では、第１テーブルとトレイが第１移動手段により連結され、第２テーブルとトレイが第２移動手段により連結されている。このため、トレイを第２テーブルに対して水平方向に移動させ、第２テーブル上におけるトレイの配置を変更することで、第２テーブル上における第１テーブルの配置も連動して変更される。
【００１７】
また、本実施例では、第１移動手段と第２移動手段が、同一のスライド機構で構成されてもよい。すなわち、第１移動手段と第２移動手段は、ともにガイドレールと嵌合部を備えたスライド機構により構成されてもよいし、レール板とベアリングを備えたスライド機構により構成されていてもよい。本実施例のように、第１移動手段と第２移動手段が、別々のスライド機構で構成されていてもよい。
【００１８】
上記のような第１テーブル、第２テーブル、トレイ、第１移動手段、及び第２移動手段を少なくとも備える検眼用テーブルは、第１テーブルが第２テーブル上に位置するように、第１テーブルとトレイとの少なくともいずれかを水平方向に移動させることで、被検者に対して複数の検眼装置を使用可能とすることができる。すなわち、第１テーブルが第２テーブル上に位置するように、第１移動手段と第２移動手段の少なくともいずれかを用いて、第１テーブルとトレイとの少なくともいずれかを水平方向に移動させることで、被検者に対して複数の検眼装置を使用可能とすることができる。
【００１９】
例えば、第１テーブルが固定部を有する場合には、固定部が第２テーブル上に配置されるように、第１テーブルとトレイとの少なくともいずれかを水平方向に移動させることで、検眼装置が使用可能とされてもよい。本実施例のように、第１テーブルが第１固定部と第２固定部を有する場合には、第１固定部と、第２固定部の少なくとも一部と、が第２テーブル上に配置されるように、第１テーブルとトレイとの少なくともいずれかを水平方向に移動させることで、第１検眼装置が使用可能とされてもよい。また、第１固定部の少なくとも一部と、第２固定部と、が第２テーブル上に配置されるように、第１テーブルとトレイとの少なくともいずれかを水平方向に移動させることで、第２検眼装置が使用可能とされてもよい。
【００２０】
例えば、このような検眼装置を使用可能とする状態は、少なくとも第１テーブルの固定部が第２テーブル上に配置された状態であってもよい。すなわち、固定部が第２テーブル上に配置された状態であれば、固定部に固定された検眼装置の一部は第２テーブル上に配置された状態でなくてもよい。
【００２１】
また、上記のような第１テーブル、第２テーブル、トレイ、第１移動手段、及び第２移動手段を少なくとも備える検眼用テーブルは、第１テーブルを第２テーブル上から退避するように、第１テーブルとトレイとの少なくともいずれかを水平方向に移動させることで、第２テーブルを使用可能とすることができる。すなわち、第１テーブルが第２テーブル上から退避するように、第１移動手段と第２移動手段の少なくともいずれかを用いて、第１テーブルとトレイとの少なくともいずれかを水平方向に移動させることで、第２テーブルを使用可能とすることができる。
【００２２】
例えば、第１テーブルが固定部を有する場合には、固定部の少なくとも一部が第２テーブル上から突出するように、第１テーブルとトレイとの少なくともいずれかを水平方向に移動させることで、第２テーブルが使用可能とされてもよい。本実施例のように、第１テーブルが第１固定部と第２固定部を有する場合には、第１固定部の少なくとも一部が第２テーブル上に配置され、第２固定部の少なくとも一部が第２テーブル上から突出するように、第１テーブルとトレイとの少なくともいずれかを水平方向に移動させることで、第２テーブルが使用可能とされてもよい。すなわち、例えば、第１固定部と第２固定部のどちらか一方が第２テーブル上から突出することで、第１テーブルに載置された検眼装置の一方が第２テーブル上から突出する状態であってもよい。また、例えば、第１固定部と第２固定部の双方が第２テーブル上から突出することで、第１テーブルに載置された検眼装置の双方が第２テーブル上から突出する状態であってもよい。
【００２３】
例えば、本実施例における検眼用テーブルは、このように、第１テーブルに載置した検眼装置を使用可能な状態と、第２テーブルを使用可能な状態と、を切り換えることができる。これによって、検者は被検者を移動させることなく複数の検眼装置を用いた検眼を実施することができ、従来に比べて検眼が容易になる。また、被検者の移動による負担を軽減させることができる。
【００２４】
なお、本実施例における検眼用テーブルは、さらに、第３テーブルを備えていてもよい。第３テーブル（例えば、第３テーブル１３）は、第２テーブルにおいて第１テーブルが突出する側面側に設けられる。また、第３テーブルは、第２テーブルを使用可能な状態において、第１テーブルを支持する。なお、このとき、第３テーブルは、第３テーブルと第１テーブルとを連結するための部材を介して、第１テーブルを支持してもよい。例えば、この場合の一例としては、第３テーブルの上面に突出部を設けておいてもよい。第２テーブルを使用可能な状態において、第１テーブルが第３テーブルの突出部上に当接することで、第３テーブルが第１テーブルを支持してもよい。もちろん、第１テーブルの下面にスタンド等の突出部を設けておいてもよい。第２テーブルを使用可能な状態において、第１テーブルの突出部が第３テーブル上に当接することで、第３テーブルが第１テーブルを支持してもよい。
【００２５】
また、本実施例における検眼用テーブルは、さらに、第３移動手段を備えていてもよい。第３移動手段（例えば、第３移動手段２５）は、第３テーブルの上面側に設けられる。また、第３移動手段は、第３テーブルに対して、第１テーブルを水平方向に移動可能に支持する。例えば、本実施例では、第１テーブルの下面に車輪（例えば、車輪１４）が設けられ、車輪が第３移動手段上を摺動することによって、第３テーブルが第１テーブルを水平方向に移動可能に支持する。第１テーブル上に複数の検眼装置を配置した状態では、第１テーブルを第２テーブルから突出させると第１テーブルに大きな荷重がかかるが、このような構成とすることで、第１テーブル１１の荷重を第３テーブルにより支えることができる。すなわち、第３テーブルを設けることで第１テーブル１１の耐荷重を強くすることができ、第１テーブル上に検眼装置を安定に載置しておくことができる。
【００２６】
＜検眼システム＞
なお、本実施形態では、被検者に対して複数の検眼装置を用いた検眼を行う検眼システムが構築されてもよい。例えば、検眼システムは、被検者に対して複数の検眼装置を用いて検眼を行うための検眼用テーブルを有する。
【００２７】
例えば、検眼システムとしては、複数の検眼装置と、複数の検眼装置の内、少なくとも第１検眼装置を載置するための第１テーブルと、複数の検眼装置の内、少なくとも第２検眼装置を載置するための第２テーブルと、第１テーブル及び第２テーブルの下面側に設けられる第３テーブルと、第１テーブル及び第２テーブルを、第３テーブルに対して水平方向に移動可能とする移動手段と、を備えてもよい。例えば、本実施例において、第３テーブルは、検眼用テーブルの基部であって、天板と脚部を備えたテーブルとして用いられてもよい。このような検眼システムにおいては、第１テーブルが第３テーブル上の位置であって、被検者の前に水平移動されることによって、被検者に対して少なくとも第１検眼装置を使用可能としてもよい。また、第２テーブルが第３テーブル上の位置であって、被検者の前に水平移動されることによって、被検者に対して第２テーブルに載置された第２検眼装置を使用可能とするようにしてもよい。
【００２８】
例えば、第１テーブルと第２テーブルは、一体的に形成されるようにしてもよい。例えば、この場合、第１テーブルと第２テーブルが一体的に形成されたテーブルが、第３テーブル上の位置であって、第１検眼装置が被検者の前に位置するように、テーブルを水平方向に移動させることで、被検者に対して第１検眼装置を使用可能としてもよい。また、テーブルが第３テーブル上の位置であって、第１検眼装置が被検者の前に位置するように、テーブルを水平方向に移動させることで、被検者に対して第２検眼装置を使用可能としてもよい。
【００２９】
例えば、第１テーブルと第２テーブルは、別途それぞれ設けられるようにしてもよい。例えば、この場合、第１テーブルと第２テーブルは、独立に移動させることができてもよい。例えば、第１テーブルが第３テーブル上の位置であって、第１検眼装置が被検者の前に位置するように、第１テーブルを水平方向に移動させることで、被検者に対して第１検眼装置を使用可能としてもよい。また、第２テーブルが第３テーブル上の位置であって、第２検眼装置が被検者の前に位置するように、第２テーブルを水平方向に移動させることで、被検者に対して第２検眼装置を使用可能としてもよい。
【００３０】
例えば、移動手段としては、スライド機構を用いてもよい。例えば、スライド機構の一例としては、ガイドレール及びガイドレールに嵌合する嵌合部を備えたスライド機構であってもよい。また、例えば、スライド機構の一例としては、ガイドレール及びガイドレール上を転動する車輪を備えたスライド機構であってもよい。また、例えば、スライド機構の一例としては、レール板とレール板に沿って転動するベアリングを備えたスライド機構であってもよい。もちろん、種々のスライド機構を組み合わせて用いるようにしてもよい。なお、上記移動手段としてはスライド機構を例に挙げているが、別の機構であってもよい。例えば、移動手段としては、第１テーブル及び第２テーブルを、第３テーブルに対して水平方向に移動可能とする構成であればよい。
【００３１】
例えば、移動手段は、第１テーブルと第２テーブルとで、少なくとも一部が兼用されてもよい。この場合、例えば、移動手段は、第１テーブルと第２テーブルとで、その全てが兼用される構成であってもよい。また、この場合、例えば、移動手段は、第１テーブルと第２テーブルとで、一部が兼用される構成であってもよい。
【００３２】
例えば、移動手段は、第１テーブルと第２テーブルとで、その全てが兼用される場合、第１テーブルと第２テーブルと共通の移動手段が用いられるようにしてもよい。一例として、移動手段がガイドレール及びガイドレールに嵌合する嵌合部を備えたスライド機構を有する場合、第１テーブル及び第２テーブルに共通の篏合部を設け、嵌合部が嵌合されるガイドレールを第３テーブルに設けてもよい。これによって、第１テーブル及び第２テーブルが第３テーブルに対して、一体的に移動される。
【００３３】
例えば、移動手段が第１テーブルと第２テーブルとで一部が兼用される例として、移動手段がガイドレール及びガイドレールに嵌合する嵌合部を備えたスライド機構を有する場合、第１嵌合部を第１テーブルに設け、第２嵌合部を第２テーブルに設け、第１嵌合部と第２嵌合部との双方が嵌合されるガイドレールを第３テーブルに設けてもよい。
【００３４】
また、例えば、移動手段は、第１テーブルと第２テーブルとで、別々にそれぞれ設けられてもよい。この場合、例えば、第１テーブル用の移動手段が設けられるとともに、第２テーブル用の移動手段が設けられるようにしてもよい。一例として、移動手段がガイドレール及びガイドレールに嵌合する嵌合部を備えたスライド機構を有する場合、第１嵌合部を第１テーブルに設け、第１嵌合部が嵌合される第１ガイドレールを第３テーブルに設けるとともに、第２嵌合部を第２テーブルに設け、第２嵌合部が嵌合される第２ガイドレールを第３テーブルに設けてもよい。
【００３５】
なお、例えば、移動手段は、少なくとも１つの移動手段（例えば、少なくとも１つのスライド機構）によって構成されるようにしてもよい。この場合、例えば、１つの移動手段によって、第１テーブル及び第２テーブルを、第３テーブルに対して水平方向に移動可能とする移動手段であってもよい。また、この場合、例えば、複数の移動手段によって、第１テーブル及び第２テーブルを、第３テーブルに対して水平方向に移動可能とする移動手段であってもよい。
【００３６】
なお、例えば、検眼システムは、第１テーブル及び第２テーブルと、第３テーブルと、の間にトレイが設けられるようにしてもよい。例えば、この場合、検眼システムは、第１テーブル及び第２テーブルをトレイに対して水平方向に移動可能とする第１移動手段と、第１移動手段とは異なる移動手段であり、トレイを第３テーブルに対して水平方向に移動可能とする第２移動手段と、を備えていてもよい。例えば、第１テーブル及び第２テーブルと、トレイと、は第１移動手段を介して連結されてもよい。つまり、上記の＜検眼用テーブル＞の構成であってもよい。また、例えば、第１テーブル及び第２テーブルと、トレイと、は、第１移動手段と、第１移動手段とは異なる別の部材（例えば、支持部材、等）と、を介して連結されてもよい。例えば、トレイと第３テーブルとは第２移動手段を介して連結されてもよい。つまり、上記の＜検眼用テーブル＞の構成であってもよい。また、例えば、トレイと第３テーブルとは、第２移動手段と、第２移動手段とは異なる別の部材（例えば、支持部材、等）と、を介して連結されてもよい。
【００３７】
なお、上記の連結する構成は、種々の異なる連結機構を有する構成を組み合わせて用いるようにしてもよい。一例として、第１テーブル及び第２テーブルと、トレイと、が第１移動手段及び第１移動手段とは異なる別の部材を介して連結され、トレイと第３テーブルとが第２移動手段を介して連結されてもよい。また、一例として、第１テーブル及び第２テーブルと、トレイと、が第１移動手段を介して連結され、トレイと第３テーブルとが第２移動手段及び第２移動手段とは異なる別の部材を介して連結されてもよい。
【００３８】
また、例えば、上記の連結する構成は、同一の連結機構を用いるようにしてもよい。一例として、第１テーブル及び第２テーブルと、トレイと、が第１移動手段及び別の部材を介して連結され、トレイと第３テーブルとが第２移動手段及び別の部材を介して連結されてもよい。また、一例として、第１テーブル及び第２テーブルと、トレイと、が第１移動手段を介して連結され、トレイと第３テーブルとが第２移動手段を介して連結されてもよい。
【００３９】
なお、例えば、検眼システムは、第１テーブル及び第２テーブルと、第３テーブルと、の間にトレイを有しない構成であってもよい。この場合、例えば、検眼システムは、第１テーブル及び第２テーブルと、第３テーブルと、が移動手段を介して連結する構成であってもよい。また、この場合、例えば、検眼システムは、第１テーブル及び第２テーブルと、第３テーブルと、が移動手段及び移動手段とは異なる別の部材（例えば、支持部材、等）を介して連結する構成であってもよい。
【００４０】
＜実施例＞
以下、本開示における典型的な実施例について、図面を参照して説明する。図１は検眼用テーブルの外観略図である。本実施例では、検眼用テーブルの水平方向（左右方向）をＸ方向、鉛直方向（上下方向）をＹ方向、垂直方向（前後方向）をＺ方向として説明する。検眼用テーブル１は、第１テーブル１１、第２テーブル１２、第３テーブル１３、トレイ２０、第１移動手段３０（図２参照）、第２移動手段４０（図２参照）、第３移動手段２５、昇降ユニット５０、等を備える。
【００４１】
なお、本実施形態に係る構成と、その一例である本実施例の構成との対応関係を示すに、第１テーブル１１は＜検眼用テーブル＞に係る概要における第１テーブルに対応し、第２テーブル１２は＜検眼用テーブル＞に係る概要における第２テーブルに対応する。また、第１テーブル１１は＜検眼システム＞に係る概要における第１テーブル及び第２テーブルに対応し、第２テーブル１２は＜検眼システム＞に係る概要における第３テーブルに対応する。第１テーブル１１は、＜検眼システム＞に係る概要における第１テーブル及び第２テーブルが一体的に形成されたテーブルである。
【００４２】
＜テーブル＞
第１テーブル１１は、Ｘ方向（水平方向）が長手であり、Ｚ方向（垂直方向）が短手である四角形状を有する。第１テーブル１１は、複数の検眼装置を載置するためのスペースを有する。本実施例では、第１テーブル１１が、第１検眼装置と、第２検眼装置と、を載置するためのスペースを有する場合を例に挙げる。例えば、第１検眼装置としては、被検眼の屈折力を他覚的に測定するためのオートレフラクトメータ（以下、レフラクトメータ）ＡＲが載置される。例えば、第２検眼装置としては、被検眼を観察または撮影するためのスリットランプＳＬが載置される。
【００４３】
第１テーブル１１は、複数の検眼装置を固定する固定部１５を有する。本実施例では、固定部１５が、第１検眼装置を固定するための第１固定部１５ａと、第２検眼装置を固定するための第２固定部１５ｂと、で構成される。第１固定部１５ａは、第１テーブル１１の長手方向における第２テーブル１２側に配置される。第２固定部１５ｂは、第１テーブル１１の長手方向における第３テーブル１３側に配置される。すなわち、第２テーブル１２から第１テーブル１１の突出が開始される側の第１テーブル１１の側面に対して、第１固定部１５ａの位置は第２固定部１５ｂの位置よりも長手方向に遠い位置に配置される。なお、第１テーブル１１の突出については後述する。例えば、固定部１５ａによって、第１検眼装置（レフラクトメータＡＲ）が第１テーブル１１上に固定配置される。また、固定部１５ｂによって、第２検眼装置（スリットランプＳＬ）が第１テーブル１１上に固定配置される。
【００４４】
第１テーブル１１の下面（裏面）には、車輪１４が転動可能に取り付けられる。車輪１４は、後述する第３移動手段２５のガイド部２８（図３参照）に保持されるとともに、ガイド部２８に沿って水平方向に移動する。車輪１４がガイド部２８に保持されることで、第１テーブル１１が検眼装置の重みで上方向に傾くことを抑制することができる。
【００４５】
また、第１テーブル１１の下面には、車輪１６（図５参照）が転動可能に取り付けられる。車輪１６は、トレイ２０上を水平方向に移動する。なお、本実施例において、第１テーブルの下面には必ずしも車輪１６を取り付ける必要はない。しかし、後述の第１移動手段３０を介して第１テーブル１１を移動させたとき、車輪１６を取り付けている場合には、車輪１６を取り付けていない場合よりも、第１テーブル１１をより滑らかに移動させることができる。
【００４６】
また、第１テーブル１１の下面には、車輪１７（図５参照）が収納可能に取り付けられている。車輪１７は、第２テーブル１２が使用可能な状態（すなわち、後述する図５（ａ）の状態）、及び、第１検眼装置が検眼状態にある状態（すなわち、後述する図５（ｂ）の状態）では、第１テーブル１１の下面にその一部が収納され、トレイ２０上を摺動する。また、車輪１７は、第１検眼装置が検眼状態にある状態から、さらに第１テーブル１１が移動され、第２検眼装置が検眼状態にある状態（すなわち、後述する図５（ｃ）の状態）となると、第１テーブル１１から突出し、第２テーブル１２上を摺動する。これによって、第１テーブル１１が検眼装置の重みで下方向に傾くことを抑制することができる。
【００４７】
第２テーブル１２は、Ｘ方向が長手であり、Ｚ方向が短手である四角形状を有する。第２テーブル１２は、第１テーブル１１の下面側に設けられる。本実施例において、第２テーブル１２は、第１テーブル１１の下面側、かつ、トレイ２０の下面側に設けられる。第２テーブル１２は、第１テーブル１１を第２テーブル１２上から退避するように水平方向に移動させた状態（すなわち、後述する退避状態）において使用可能となる。第２テーブル１２には、昇降ユニット５０が連結される。
【００４８】
第３テーブル１３は、Ｘ方向が長手であり、Ｚ方向が短手である四角形状を有する。第３テーブル１３は、第２テーブル１２において第１テーブル１１が突出する側面側に設けられる。第３テーブル１３は、第１テーブル１１を第２テーブル１２上から退避するように水平方向に移動させた状態（すなわち、後述する退避状態）において、第１テーブル１１を支持する。本実施例では、第３テーブル１３が、後述する第３移動手段２５を介して第１テーブル１１を支持する。第３テーブル１３を設けることで、第１テーブル１１に複数の検眼装置を載置し、第１テーブル１１を第２テーブルから突出させても、第１テーブル１１の荷重を支えることができる。すなわち、第３テーブル１３を設けることで、第１テーブル１１の耐荷重を強くすることができる。
【００４９】
＜トレイ＞
トレイ２０（図２及び図３参照）は、第１テーブル１１と第２テーブル１２の間に設けられる。トレイ２０は、第１テーブル１１の下面側、かつ、第２テーブル１２の上面側に設けられる。トレイ２０は、Ｘ方向が短手であり、Ｚ方向が長手である四角形状を有する。トレイ２０の四隅には、車輪２３が転動可能に取り付けられる。車輪２３は第２テーブル１２に当接する。なお、本実施例において、トレイ２０には必ずしも車輪２３を取り付ける必要はない。しかし、後述の第２移動手段４０を介してトレイ２０を移動させたとき、車輪２３を取り付けている場合には、車輪２３を取り付けていない場合よりも、トレイ２０をより滑らかに移動させることができる。
【００５０】
本実施例において、トレイ２０には支持部２２が連結されている。支持部２２は、トレイ２０と後述する第２移動手段４０を連結する。支持部２２は、第２テーブル１２の上面（表面）から側面を回って下面まで伸びるコの字形状を有する。もちろん、支持部２２の形状は種々の形状であってもよく、本実施例に限定されない。
【００５１】
＜移動手段＞
図２は第１移動手段３０と第２移動手段４０の概略図である。なお、図２は図１のＡ−Ａ´断面を示している。第１移動手段３０は、第１テーブル１１とトレイ２０とを連結するための移動手段である。第１移動手段３０は、第１テーブル１１をトレイ２０に対して水平方向（Ｘ方向）に移動可能にする。第１移動手段３０は、ガイドレール３１、嵌合部３２、等で構成される。ガイドレール３１は、第１テーブル１１の水平方向に伸びるように、第１テーブル１１の下面に固定される。本実施例におけるガイドレール３１は、第１テーブル１１の下面に設けられたレール固定板３３に固定されることで、第１テーブル１１の下面に固定されている。嵌合部３２は、トレイ２０の上面に固定される。本実施例における嵌合部３２は、トレイ２０の上面に設けられた嵌合部固定板３４に固定されることで、トレイ２０の上面に固定されている。ガイドレール３１と嵌合部３２は互いに嵌合する。例えば、嵌合部３２がガイドレール３１に沿って摺動されることで、第１テーブル１１が水平方向に移動される。
【００５２】
第２移動手段４０は、第１移動手段３０とは異なる移動手段である。すなわち、第１移動手段３０と第２移動手段４０は、別々に設けられた移動手段である。第２移動手段４０は、第２テーブル１２とトレイ２０とを連結するための移動手段である。第２移動手段４０は、トレイ２０を第２テーブル１２に対して水平方向（Ｘ方向）に移動可能にする。第２移動手段４０は、レール板４１、ベアリング４２（ベアリング４２ａ及び４２ｂ）、等で構成される。レール板４１は、第２テーブル１２の水平方向に伸びるように、第２テーブル１２の下面に固定される。ベアリング４２ａとベアリング４２ｂは、レール板４１を挟むように配置される。ベアリング４２ａとベアリング４２ｂは、トレイ２０に連結された支持部２２に転動可能に取り付けられる。例えば、ベアリング４２をレール板４１に沿って転動させることで、トレイ２０は水平方向に移動される。
【００５３】
本実施例では、上記のように、第１テーブル１１とトレイ２０が第１移動手段３０によって連結され、トレイ２０と第２テーブル１２が第２移動手段４０によって連結される。このため、第１移動手段３０を用いて、トレイ２０を移動させることなく、第１テーブル１１を水平方向に移動させることができる。第２移動手段４０を用いて、トレイ２０を第２テーブル１２に対して水平方向に移動させることでも、第１テーブル１１を水平方向に移動させることができる。
【００５４】
図３は第３移動手段２５の概略図である。図３では、第１テーブル１１と第１移動手段３０の図示を省略している。図３（ａ）は第３移動手段２５が縮んだ状態である。図３（ｂ）は第３移動手段２５が伸びた状態である。第３移動手段２５は、第３テーブル１３の上面側に設けられる。第３移動手段２５は、第３テーブル１３に対して、第１テーブル１１を水平方向に移動可能に支持する。第３移動手段２５は、固定部２６、スライド部２７、ガイド部２８、等を備える。固定部２６は第３テーブル１３に固定される。固定部２６は凸部２６ａを有する。スライド部２７はトレイ２０の側面に固定される。スライド部２７は凹部２７ａを有する。固定部２６とスライド部２７は、凸部２６ａと凹部２７ａが嵌合するように配置される。ガイド部２８は、スライド部２７に固定される。第１テーブル１１の下面に取り付けられた車輪１４が、ガイド部２８に保持されるとともに、ガイド部２８上を移動する。
【００５５】
第３移動手段２５は、トレイ２０の移動位置によって、Ｘ方向（左右方向）に伸縮する。例えば、第１テーブル１１を第２テーブル１２上から退避するように水平方向に移動させた状態（すなわち、後述する退避状態）では、第２テーブル１２の端付近にトレイ２０が移動される。このとき、スライド部２７の凹部２７ａは固定部２６の凸部２６ａ上を摺動し、図２（ａ）に示すように、スライド部２７が固定部２６に重なるように配置される。また、例えば、第１テーブル１１が第２テーブル１２上に位置するように水平方向に移動させた状態（すなわち、後述する検眼状態）では、第２テーブル１２の中央付近にトレイ２０が移動される。このとき、スライド部２７の凹部２７ａは固定部２６の凸部２６ａ上を摺動し、図２（ｂ）に示すように、スライド部２７が固定部２６から引き出されて配置される。なお、凸部２６ａには、凸部２６ａから凹部２７ｂが抜け落ちることを抑制するための部材（例えば、プランジャ等）を設けてもよい。
【００５６】
＜昇降ユニット＞
図４は昇降ユニット５０の概略図である。昇降ユニット５０は、第２テーブル１２に設けられる。昇降ユニット５０は、第１支柱５１、第２支柱５２、上下移動機構５３、等で構成される。上下移動機構５３は、モータ５４、ギヤ５５（ギヤ５５ａ及び５５ｂ）、ナット部５６、送りネジ５７、等を備える。第１支柱５１は第２テーブル１２の下面に連結される。第１支柱５１の内部にはモータ５４が取り付けられる。モータ５４の回転軸にはギヤ５５ａが固定される。第２支柱５２は基台３に連結される。第２支柱５２の内部にはナット部５６が取り付けられる。ナット部５６には送りネジ５７が螺合する。送りネジ５７の先端にはギヤ５５ｂが固定される。ギヤ５５ａとギヤ５５ｂは噛み合うように配置される。例えば、モータ５４が回転すると、その回転がギヤ５５を介して送りネジ５７に伝達され、送りネジ５７が回転する。これによって、第１支柱５１は、第２支柱５２に対して上下方向（鉛直方向）にスライドする。なお、昇降ユニット５０はこのようなギヤ機構に限らず、アクチュエータ、シリンダ、等により上下方向にスライドする構成としてもよい。
【００５７】
昇降ユニット５０は、第２テーブル１２に設けられた上下移動スイッチ２を操作することで、モータ５４を回転させ、上下方向へスライドさせることができる。また、昇降ユニット５０は、第１支柱５１の上下移動に対する上限と下限を検知するための図示なきマイクロスイッチを備えていてもよい。例えば、マイクロスイッチが第２支柱５２に設けられ、第１支柱５１の下端がマイクロスイッチに触れたときに、モータ５４の回転が停止されてもよい。
【００５８】
＜退避状態と検眼状態＞
本実施例における検眼用テーブル１は、第１テーブル１１を水平方向に移動させることで、第２テーブル１２の所定の位置にて検眼装置を使用可能な状態と、第２テーブル１２の所定の位置にて第２テーブルを使用可能な状態と、を切り換えることができる。すなわち、本実施例における検眼用テーブル１は、第１テーブル１１を水平方向に移動させることで、第２テーブル１２の所定の位置に検眼装置を配置した検眼状態と、第２テーブル１２の所定の位置から検眼装置を退避させた退避状態と、を切り換えることができる。例えば、第２テーブル１２の所定の位置は、第２テーブル１２を前後方向（Ｚ方向）に挟んで、検者と被検者が対面する位置Ｐ（図５参照）である。
【００５９】
図５は退避状態と検眼状態を説明する図である。図５（ａ）は、第２テーブル１２を使用可能な状態である。すなわち、図５（ａ）は第１検眼装置と第２検眼装置がともに退避状態にある場合を示している。図５（ｂ）と図５（ｃ）は、検眼装置を使用可能な状態である。図５（ｂ）は第１検眼装置が検眼状態にある場合を示している。図５（ｃ）は第２検眼装置が検眼状態にある場合を示している。なお、図５において、第１検眼装置（レフラクトメータＡＲ）は、固定部１５ａに固定されることで、第１テーブル１１の検者に近い側に載置されている。また、第２検眼装置（スリットランプＳＬ）は、固定部１５ｂに固定されることで、第１テーブル１１の検者から遠い側に載置されている。
【００６０】
例えば、第１テーブル１１が第２テーブル１２上に位置するように、第１テーブル１１とトレイ２０との少なくともいずれかを水平方向に移動させることで、検眼装置を使用可能とすることができる。このとき、検眼装置を固定する固定部１５が第２テーブル１２上に配置されるように、第１テーブル１１とトレイ２０との少なくともいずれかが、第２テーブル１２上で水平方向に移動される。本実施例では、第１検眼装置（レフラクトメータＡＲ）を固定する固定部１５ａと、第２検眼装置（スリットランプＳＬ）を固定する固定部１５ｂと、が第２テーブル１２上に配置されるように、第１テーブル１１とトレイ２０との少なくともいずれかを水平方向に移動させることで、第１検眼装置が使用可能となる。これによって、図５（ａ）に示す退避状態から、図５（ｂ）に示す検眼状態へと切り換えられる。また、本実施例では、第１固定部１５ａの少なくとも一部と、第２固定部１５ｂと、が第２テーブル１２上に配置されるように、第１テーブル１１とトレイ２０との少なくともいずれかを水平方向に移動させることで、第２検眼装置が使用可能となる。これによって、図５（ａ）に示す退避状態、あるいは、図５（ｂ）に示す検眼状態から、図５（ｃ）に示す検眼状態へと切り換えられる。
【００６１】
また、例えば、第１テーブル１１が第２テーブル１２上から退避するように、第１テーブル１１とトレイ２０との少なくともいずれかを水平方向に移動させることで、第２テーブルを使用可能とすることができる。このとき、検眼装置を固定する固定部１５の少なくとも一部が第２テーブル１２上から突出するように、第１テーブル１１とトレイ２０との少なくともいずれかが、第２テーブル１２上で水平方向に移動される。本実施例では、第１検眼装置を固定する固定部１５ａが第２テーブル１２上に配置され、第２検眼装置を固定する固定部１５ｂが第２テーブル１２上から突出するように、第１テーブル１１とトレイ２０との少なくともいずれかを水平方向に移動させることで、第２テーブル１２が使用可能となる。これによって、図５（ｂ）または図５（ｃ）に示す検眼状態から、図５（ａ）に示す退避状態へと切り換えられる。
【００６２】
＜動作＞
以上のような構成を備える検眼用テーブルの動作を説明する。例えば、第１テーブル１１は、図５（ａ）に示す第２テーブル１２を使用可能な状態（すなわち、退避状態）を初期位置として配置されている。初期位置では、第１テーブル１１の検者に近い側に配置されたレフラクトメータＡＲが、トレイ２０の上部にくるように配置される。すなわち、第１テーブル１１の突出が開始される側の側面Ｓから遠い位置に配置されたレフラクトメータＡＲが、トレイ２０の上部にくるように配置される。検者は、被検者に対して問診や診察を行うと、第１テーブル１１を図５（ｂ）または図５（ｃ）に示す検眼装置を使用可能な状態（すなわち、検眼状態）に配置し、被検者に対して検眼を行う。
【００６３】
検者は、まず、レフラクトメータＡＲを用いた検眼を行う。検者は、トレイ２０を水平方向に移動させるための図示なきレバーを操作して、トレイ２０を第２テーブル１２の所定の位置Ｐまで移動させる。トレイ２０は、第２移動手段４０によって、第２テーブル１２上を水平方向にスライドする。第２テーブル１２のスライドに連動して、トレイ２０の上部に位置する第１テーブル１１の検者に近い側、及び第１テーブル１１の検者に近い側に配置されたレフラクトメータＡＲが、所定の位置Ｐまで移動する。これによって、図５（ｂ）に示す検眼状態となり、検者及び被検者の前にレフラクトメータＡＲが配置されるので、検者は被検者に対してレフラクトメータＡＲを用いた検眼を行うことができる。
【００６４】
検者は、次に、スリットランプＳＬを用いた検眼を行う。検者は、第１テーブル１１を水平方向に移動させるための図示なきレバーを操作して、第１テーブル１１を移動させる。第１テーブル１１は、第１移動手段３０によって、トレイ２０上を水平方向にスライドする。第１テーブル１１の検者に近い側、及び第１テーブル１１の検者に近い側に配置されたレフラクトメータＡＲは所定の位置Ｐから離れるとともに、第１テーブル１１の検者から遠い側、及び第１テーブル１１の検者から遠い側に配置されたスリットランプＳＬが所定の位置Ｐに移動される。これによって、図５（ｂ）に示す検眼状態から図５（ｃ）に示す検眼状態となり、検者及び被検者の前にスリットランプＳＬが配置されるので、検者は被検者に対してスリットランプＳＬを用いた検眼を行うことができる。なお、図５（ｃ）の検眼状態では、第１テーブル１１の検者から遠い側に配置されたスリットランプＳＬが、トレイ２０の上部にくるように配置される。すなわち、第１テーブル１１の突出が開始される側の側面Ｓに近い位置に配置されたスリットランプＳＬが、トレイ２０の上部にくるように配置される。
【００６５】
検者は、レフラクトメータＡＲを用いた検眼と、スリットランプＳＬを用いた検眼と、の少なくともいずれかを行って被検者の検眼を終えると、検者及び被検者の前から検眼装置（レフラクトメータＡＲ及びスリットランプＳＬ）を移動させ、第２テーブル１２を使用可能な状態にする。例えば、検者は、第１テーブル１１を水平方向に移動させるための図示なきレバーを操作して、第１テーブル１１をトレイ２０に対して水平方向にスライドさせることで、検者及び被検者の前にレフラクトメータＡＲを配置した検眼状態へと戻す。また、例えば、検者は、トレイ２０を水平方向に移動させるための図示なきレバーを操作して、トレイ２０を第２テーブル１２に対して水平方向にスライドさせることで、検者及び被検者の前からレフラクトメータＡＲを退避させ、第２テーブル１２を使用可能な状態へと戻す。
【００６６】
以上説明したように、例えば、本実施例における検眼用テーブルは、複数の検眼装置を載置するためのスペースを有する第１テーブルと、第１テーブルの下面側に設けられる第２テーブルと、第１テーブルと第２テーブルとの間であり、第１テーブルの下面側かつ第２テーブルの上面側に設けられるトレイと、第１テーブルをトレイに対して水平方向に移動可能とし、第１テーブルとトレイを連結するため第１移動手段と、第１移動手段とは異なる移動手段であり、トレイを第２テーブルに対して水平方向に移動可能とし、第２テーブルとトレイを連結するための第２移動手段と、を備え、第１テーブルが第２テーブル上に位置するように、第１テーブルとトレイとの少なくともいずれかを水平方向に移動させることで、被検者に対して複数の検眼装置を使用可能とし、第１テーブルが第２テーブル上から退避するように、第１テーブルとトレイとの少なくともいずれかを水平方向に移動させることで、第２テーブルを使用可能とする。これによって、検者は被検者を移動させることなく複数の検眼装置を用いた検眼を実施することができ、従来に比べて検眼が容易になる。また、被検者の移動による負担を軽減させることができる。
【００６７】
また、例えば、本実施例における検眼用テーブルは、複数の前記検眼装置を固定する固定部を有し、固定部が第２テーブル上に配置されるように、第１テーブルとトレイとの少なくともいずれかを水平方向に移動させることで、検眼装置を使用可能とし、固定部の少なくとも一部が第２テーブル上から突出するように、第１テーブルとトレイとの少なくともいずれかを水平方向に移動させることで、第２テーブルを使用可能とする。これによって、検眼装置と第２テーブルを効率的に使用することができる。検眼の際には、検者及び被検者の前に検眼装置を配置することができ、問診や診察の際には、第１テーブルを第２テーブル上から突出させて第２テーブルをあけ、第２テーブルを使用することができる。
【００６８】
また、例えば、本実施例における検眼用テーブルは、第１検眼装置を固定するための第１固定部と、第２検眼装置を固定するための第２固定部と、を有し、第１固定部と第２固定部の少なくとも一部とが第２テーブル上に配置されるように、第１テーブルとトレイとの少なくともいずれかを水平方向に移動させることで、被検者に対して第１検眼装置を使用可能とし、第１固定部の少なくとも一部と第２固定部とが第２テーブル上に配置されるように、第１テーブルとトレイとの少なくともいずれかを水平方向に移動させることで、被検者に対して第２検眼装置を使用可能とし、第１固定部の少なくとも一部が第２テーブル上に配置され、第２固定部の少なくとも一部が第２テーブル上から突出するように、第１テーブルとトレイとの少なくともいずれかを水平方向に移動させることで、第２テーブルを使用可能とする。これによって、第１検眼装置と第２検眼装置を、検眼内容に合わせて容易に切り換えることができる。また、第１検眼装置または第２検眼装置を使用可能な状態と、第２テーブルを使用可能な状態と、を容易に切り換えることができる。
【００６９】
また、例えば、本実施例における検眼用テーブルは、第２テーブルにおいて第１テーブルが突出する側面側に設けられた第３テーブルを備え、第２テーブルを使用可能な状態において、第３テーブルが第１テーブルを支持する。第１テーブル上に複数の検眼装置を配置した状態では、第１テーブルを第２テーブルから突出させると第１テーブルに大きな荷重がかかるが、このような構成とすることで、第１テーブル１１の荷重を第３テーブルにより支えることができる。すなわち、第３テーブルを設けることで第１テーブル１１の耐荷重を強くすることができ、第１テーブル上に検眼装置を安定に載置しておくことができる。
【００７０】
＜変容例＞
なお、本実施例では、第１テーブル１１、第２テーブル１２、及び第３テーブル１３が、それぞれＸ方向（水平方向）が長手であり、Ｚ方向（垂直方向）が短手である四角形状を有する構成を例に挙げて説明したがこれに限定されない。もちろん、第１テーブル１１、第２テーブル１２、及び第３テーブル１３の形状や寸法は、本実施例とは異なっていてもよい。また、本実施例では、トレイ２０が、Ｘ方向が短手であり、Ｚ方向が長手である四角形状を有する構成を例に挙げて説明したがこれに限定されない。もちろん、トレイ２０の形状や寸法は、本実施例とは異なっていてもよい。
【００７１】
なお、本実施例では、第１テーブル１１を第２テーブル１２上で水平方向に移動させる際に、第１テーブル１１を直線状に水平方向に移動させる構成を例に挙げて説明したがこれに限定されない。例えば、第１テーブル１１を曲線状に水平方向に移動させる構成としてもよい。一例としては、円弧状に水平方向に移動させてもよい。
【００７２】
なお、本実施例では、第１固定部１５ａと第２固定部１５ｂを別に設けることで、第１テーブル１１上に第１検眼装置と第２検眼装置を固定配置する構成を例に挙げて説明したがこれに限定されない。例えば、第１固定部１５ａと第２固定部１５ｂとは兼用されてもよい。すなわち、１つの固定部を用いて、第１テーブル１１上に第１検眼装置と第２検眼装置を固定配置する構成としてもよい。
【００７３】
なお、本実施例では、第２テーブル１２を使用可能な状態（すなわち、退避状態）とする場合に、スリットランプＳＬを固定する固定部１５ｂのみが第２テーブル１２上から突出するように、第１テーブル１１を第２テーブル上から水平方向に移動させる構成を例に挙げて説明したがこれに限定されない。もちろん、レフラクトメータＡＲを固定する固定部１５ａと、スリットランプＳＬを固定する固定部１５ｂと、がどちらも第２テーブル１２上から突出するように、第１テーブル１１を第２テーブル上から水平方向に移動させる構成としてもよい。例えば、この場合には、トレイ２０を第３テーブル１３上まで水平方向に移動可能とする第２移動手段４０を設けてもよい。
【００７４】
なお、本実施例では、第２テーブル１２を使用可能な状態（すなわち、退避状態）から、トレイ２０を第２テーブル１２に対して水平方向に移動させることで、レフラクトメータＡＲを使用可能な状態とする構成を例に挙げて説明したがこれに限定されない。例えば、第２テーブル１２を使用可能な状態から、第１テーブル１１をトレイ２０に対して水平方向に移動させることで、レフラクトメータＡＲを使用可能な状態とする構成であってもよい。この場合には、レフラクトメータＡＲを使用可能な状態から、トレイ２０を第２テーブル１２に対して水平方向に移動させることで、スリットランプＳＬを使用可能な状態に切り換えることができる。
【００７５】
なお、本実施例における検眼用テーブル１は、第１移動手段３０による第１テーブル１１の水平方向への移動と、第２移動手段４０によるトレイ２０の水平方向への移動と、の少なくともいずれかに対して、その水平方向への移動を制御するロック機構を設けてもよい。このようなロック機構は、第１テーブル１１の水平方向への移動を制御するロック機構と、トレイ２０の水平方向への移動を制御するロック機構と、が別々に設けられた構成であってもよいし、兼用される構成であってもよい。例えば、ロック機構は、第１テーブル１１やトレイ２０に密着するブレーキパッド、ブレーキパットが先端に設けられた解除レバー、等で構成されてもよい。解除レバーを操作しないときは、ブレーキパッドが第１テーブル１１やトレイ２０に密着することで、これらの水平方向への移動がロックされる。解除レバーを操作したときは、ブレーキパッドが第１テーブル１１やトレイ２０から離れ、これらの水平方向への移動のロックが解除される。このようなロック機構を設けることによって、第１テーブル１１とトレイ２０がずれて検眼装置が動いてしまうことを抑制し、より安全に検眼を行うことができるようにしてもよい。
【符号の説明】
【００７６】
１  検眼用テーブル
１１  第１テーブル
１２  第２テーブル
１３  第３テーブル
１５  固定部
２５  第３移動手段
３０  第１移動手段
４０  第２移動手段
【図１】
2020018711.tif 000003
【図２】
2020018711.tif 000004
【図３】
2020018711.tif 000005
【図４】
2020018711.tif 000006
【図５】
2020018711.tif 000007